(57)【特許請求の範囲】
【請求項１】
圧縮された画像ファイルをメモリ上に読み込む読込手段と、
前記メモリ上に読み込んだ画像ファイルのデータを伸張する伸張手段と、
前記読込手段及び伸張手段を制御する制御手段と、
前記制御手段が制御する連続した処理中に、該処理のキャンセル指示の有無を確認する確認手段と、
前記伸張手段により伸張された複数コマのサムネイル画像を一覧で表示部に再生表示する表示手段と、を備え、
前記制御手段は、サムネイル画像の一覧再生表示の指示を受けると、前記読込手段に対しサムネイルリード要求を送信し、前記読込手段は、受信した前記サムネイルリード要求で指定された画像ファイルの画像ヘッダー部分をメモリ上に読み込み、前記画像ヘッダー部分の読み込みが完了すると、前記制御手段に対しサムネイルリード完了通知を送信し、
前記制御手段は、前記サムネイルリード完了通知を受信すると、前記伸張手段が前記読み込まれた画像ヘッダー部分から抽出したサムネイル画像を伸張するように制御し、
更に、前記制御手段は、前記読込手段による読み込みと前記伸張手段による伸張の処理が並列に行われ、前記読込手段と前記伸張手段とによる複数の画像ファイルの読み込みと伸張の処理が連続して行われるように制御し、
更に、前記制御手段は、前記複数コマの再生表示の指示を受けると、前記複数コマ分の前記サムネイルリード要求をまとめて作成し、前記読込手段に対し前記複数コマ分のサムネイルリード要求を連続して送信し、前記読込手段は、受信した前記複数コマ分のサムネイルリード要求に基づき１コマ分の画像ファイルの画像ヘッダー部分の読み込みが完了する度に前記サムネイルリード完了通知を送信し、
更に、前記制御手段は、前記確認手段による前記キャンセル指示の確認により、前記連続した処理を停止して、終了するように制御することを特徴とする画像再生装置。
【請求項２】
前記確認手段により前記キャンセル指示有りの確認がなされた場合、前記読込手段は前記確認がなされた後は前記画像ヘッダー部分の読み込みを行わずに前記サムネイルリード完了通知を送信することを特徴とする請求項１記載の画像再生装置。
【請求項３】
前記サムネイルリード要求は、前記複数コマの数と画像番号Ｎ（Ｎ：１〜前記複数コマの数）との情報を有し、
前記読込手段は、処理した前記サムネイルリード要求における前記複数コマの数と前記画像番号とを比較して、前記複数コマ分の前記画像ヘッダー部分の読み込みが完了したか否かを判定することを特徴とする請求項１又は２記載の画像再生装置。
【請求項４】
前記制御手段は、前記読込手段による読み込みと前記表示手段による表示とが並列に行われ、前記読込手段と前記伸張手段と前記表示手段とによる複数の画像ファイルの読み込みと伸張と表示の処理が連続して行われるように制御することを特徴とする請求項１〜３のいずれか１項に記載の画像再生装置。
【発明の詳細な説明】
【技術分野】
【０００１】
本発明は、画像再生の制御を行う画像再生装置に関するものである。
【背景技術】
【０００２】
近年のデジタルカメラ装置はＣＣＤ等の高画素化が進み、撮影した画像のファイルサイズがどんどん大きくなってきている。これに伴って大きな画像ファイルデータでは、読み込みに時間がかかるため、画像の再生表示が遅くなってしまうという課題があった。
【０００３】
そこで、特許文献１には、再生表示する際の待ち時間を軽減し、再生画像を迅速に確認可能とした画像再生装置であって、この画像再生装置において画像ファイルデータを時分割アクセスにより同時に読み込み、同時に伸張して表示させる処理に関して記載されている。この処理により複数の別々の画像を同時に複数の人が見ることを可能としたものである。
【特許文献１】特開２００５−０８０２１９号公報
【発明の開示】
【発明が解決しようとする課題】
【０００４】
複数のファイルを同時に読み込む必要があるので、ファイル数が多くなるほど処理が複雑になり、この処理を行うためにＣＰＵパワーも多く必要となる。また、伸張処理も同時に動作させる場合も同様で、伸張の処理能力以上の画像ファイルに数が増えると、表示の速度が遅くなってしまうという課題がある。
【０００５】
本発明は、前記従来技術の問題を解決することに指向するものであり、１つ目の画像ファイルを読み込んだ後、読み込んだデータを伸張し表示させるが、読み込んだデータの伸張と２つ目の画像ファイルの読み込みとを同時に動作させることにより、１つ目のデータ伸張が終わったころには２つ目の画像ファイルの読み込みが終わっているので、続けて２つ目のデータ伸張の処理ができるため、複数の画像ファイルを高速で読み込み、伸張して表示することができる画像再生装置を提供することを目的とする。
【課題を解決するための手段】
【０００６】
前記の目的を達成するために、本発明に係る請求項１に記載した画像再生装置は、圧縮された画像ファイルをメモリ上に読み込む読込手段と、前記メモリ上に読み込んだ画像ファイルのデータを伸張する伸張手段と、前記読込手段及び伸張手段を制御する制御手段と、前記制御手段が制御する連続した処理中に、該処理のキャンセル指示の有無を確認する確認手段と、前記伸張手段により伸張された複数コマのサムネイル画像を一覧で表示部に再生表示する表示手段と、を備え、前記制御手段は、サムネイル画像の一覧再生表示の指示を受けると、前記読込手段に対しサムネイルリード要求を送信し、前記読込手段は、受信した前記サムネイルリード要求で指定された画像ファイルの画像ヘッダー部分をメモリ上に読み込み、前記画像ヘッダー部分の読み込みが完了すると、前記制御手段に対しサムネイルリード完了通知を送信し、前記制御手段は、前記サムネイルリード完了通知を受信すると、前記伸張手段が前記読み込まれた画像ヘッダー部分から抽出したサムネイル画像を伸張するように制御し、更に、前記制御手段は、前記読込手段による読み込みと前記伸張手段による伸張の処理が並列に行われ、前記読込手段と前記伸張手段とによる複数の画像ファイルの読み込みと伸張の処理が連続して行われるように制御し、更に、前記制御手段は、前記複数コマの再生表示の指示を受けると、前記複数コマ分の前記サムネイルリード要求をまとめて作成し、前記読込手段に対し前記複数コマ分のサムネイルリード要求を連続して送信し、前記読込手段は、受信した前記複数コマ分のサムネイルリード要求に基づき１コマ分の画像ファイルの画像ヘッダー部分の読み込みが完了する度に前記サムネイルリード完了通知を送信し、更に、前記制御手段は、前記確認手段による前記キャンセル指示の確認により、前記連続した処理を停止して、終了するように制御することを特徴とする。
【０００７】
この構成により、複数の画像ファイルの再生を高速に読み込み、伸張する処理を行うことができる。
【０００８】
また、請求項２に記載した発明は、請求項１の画像再生装置において、前記確認手段により前記キャンセル指示有りの確認がなされた場合、前記読込手段は前記確認がなされた後は前記画像ヘッダー部分の読み込みを行わずに前記サムネイルリード完了通知を送信することを特徴とする。請求項３に記載した発明は、請求項１又は２に記載の画像再生装置において、前記サムネイルリード要求は、前記複数コマの数と画像番号Ｎ（Ｎ：１〜前記複数コマの数）との情報を有し、前記読込手段は、処理した前記サムネイルリード要求における前記複数コマの数と前記画像番号とを比較して、前記複数コマ分の前記画像ヘッダー部分の読み込みが完了したか否かを判定することを特徴とする。
【００１０】
また、請求項４に記載した発明は、請求項１〜３の画像再生装置において、前記制御手段は、前記読込手段による読み込みと前記表示手段による表示とが並列に行われ、前記読込手段と前記伸張手段と前記表示手段とによる複数の画像ファイルの読み込みと伸張と表示の処理が連続して行われるように制御することを特徴とする。
【００１１】
この構成により、複数の画像ファイルの再生を高速に読み込み、伸張して表示する処理を行うことができる。
【発明の効果】
【００１３】
本発明によれば、複数の画像ファイルの再生を高速に読み込み、伸張して表示する並列処理をすることが可能となり、処理する画像ファイルの数が増えても高速に再生処理することができるという効果を奏する。
【発明を実施するための最良の形態】
【００１４】
以下、図面を参照して本発明における実施の形態を詳細に説明する。
【００１５】
図１は本発明の実施形態におけるデジタルカメラ装置を示すブロック図である。図１に示すデジタルカメラ装置は、レンズ１０１、オートフォーカスを含むメカ機構１０２、ＣＣＤ１０３、ＣＤＳ回路１０４、Ａ／Ｄ変換器１０５、デジタル信号処理回路１０６、圧縮／伸張回路１０７、ＤＲＡＭ１０８、メモリカード１０９、ＬＣＤ１１０、ドライバ１１１、ＳＧ１１２、ＣＰＵ１１３、操作部１１４、ストロボ１１５、マイク１１６、ＡＭＰ／ＦＩＬＴＥＲ１１７、Ｄ／Ａ変換器１１８、音声データ圧縮／伸張回路１１９、Ａ／Ｄ変換器１２０、ＡＭＰ／ＦＩＬＴＥＲ１２１、ＯＳＤ（On Screen Display）１２２、及び電源部であるＤＣ／ＤＣコンバータ１２５、電池１２６、ＡＣアダプタ１２７等により構成されている。そして、ＣＰＵ１１３はＲＡＭ１２３を有し、ＣＰＵバス１２４を介して種々の構成要素と接続されている。
【００１６】
レンズユニットは、レンズ１０１、オートフォーカス（ＡＦ）・絞り・フィルター部を含むメカ機構１０２等からなり、メカ機構１０２のメカニカルシャッターは２つのフィールドの同時露光を行う。ＣＣＤ（電荷結合素子）１０３は、レンズユニットを介して入力した映像を電気信号（アナログ画像データ）に変換する。ＣＤＳ（相関２重サンプリング）回路１０４は、ＣＣＤ１０３から出力される電気信号のノイズを小さくする。また、Ａ／Ｄ変換器１０５は、ＣＤＳ回路１０４を介してＣＣＤ１０３から入力したアナログ画像データをデジタル画像データに変換する。すなわち、ＣＣＤ１０３の出力信号は、ＣＤＳ回路１０４を通じてＡ／Ｄ変換器１０５で最適なサンプリング周波数（例えば、ＮＴＳＣ信号のサブキャリア周波数の整数倍）にてデジタル信号に変換される。
【００１７】
また、デジタル信号処理部１０６は、Ａ／Ｄ変換器１０５から入力した画像データを輝度データと色差データに分けて各種処理、補正、及び画像圧縮／伸張のためのデータ処理を施す。画像圧縮／伸張回路１０７は、ＪＰＥＧに準拠しており、画像データを直交変換・ハフマン符号化して圧縮する。また、画像圧縮／伸張回路１０７は、画像データをハフマン復号化・逆直交変換して伸張する。
【００１８】
一方、音声は、マイク１１６等の音声−電気信号変換素子により電気信号に変換されて音声データとなり、ＡＭＰ／ＦＩＬＴＥＲ１１７により増幅され必要帯域にカットオフされた後、Ｄ／Ａ変換器１１８により所定帯域の２倍以上のサンプリング周波数でデジタル音声データに変換される。さらに、このデジタル音声データは音声データ圧縮／伸張回路１１９により圧縮・符号化処理される。
【００１９】
ＤＲＡＭ１０８は、圧縮処理された画像データを一時的に格納する。圧縮された画像データは画像ファイルデータとして、圧縮された音声データは音声ファイルデータとしてメモリカード１０９に記録される。
【００２０】
また、表示手段のＬＣＤ１１０には、メモリカード１０９に記録されている画像データに応じた画像が表示される。また、ＬＣＤ１１０には、設定されているデジタルカメラ装置の状態、例えば、設定されているモード表示やエラー表示等が行われる。
【００２１】
操作部１１４は、機能選択、撮影指示、及びその他の各種設定を外部から行うための操作キーを備えている。操作キーとしては、例えば、メモリカード１０９に格納されている画像データをページ送り及びページ戻しを指示するための「ページ送り」キー及び「ページ戻し」キー、設定されているデジタルカメラ装置の状態等の表示のＯＮ／ＯＦＦを指示する「表示ＯＮ／ＯＦＦ」キー等がある。
【００２２】
ＣＰＵ１１３は、操作部１１４からの指示、もしくは図示しないリモコン等の外部動作指示に応じて、図示しないＲＯＭに格納された制御プログラムに従って、デジタルカメラ装置の各部の動作を制御する。例えば、ＣＰＵ１１３は、メモリカード１０９への画像データ、及び音声データの記録動作の制御、メモリカード１０９に記録されている画像データ、及び音声データの再生動作の制御等を行う。
【００２３】
なお、図１に示すように電源部は、ＤＣ／ＤＣコンバータ１２５に電池１２６及びＡＣアダプタ１２７が接続される構成となっている。
【００２４】
図２はメモリカードのフォーマットの一例を示す図である。このフォーマットは、パソコン用のＤＯＳのフォーマットと同一のものとなっている。図１のメモリカード１０９は、図２に示すごとく、デバイス種類、アクセス速度、記憶容量等のカード属性情報が格納されるアトリビュート領域２０１と、ブートセレクタ領域２０２と、ＦＡＴ領域２０３と、ディレクトリエントリ領域２０４と、画像ファイルデータを格納する画像ファイルデータ格納領域２０５と、音声ファイルデータを格納する音声ファイルデータ格納領域２０６とから構成されている。
【００２５】
ブートセレクタ領域２０２には、メモリカード１０９からデータを読み書きする場合に必要なパラメータ、すなわち、ＦＡＴ（File Allocation Table）エントリや、ディレクトリ等が記録される。
【００２６】
ＦＡＴ領域２０３には、各ファイルのデータが記録されている状態の情報であるＦＡＴエントリが書き込まれる。なお、データが記録されているメモリ上の位置は、データの書き込み単位の番号となるクラスタ番号で示されている。
【００２７】
図３はディレクトリエントリ領域に格納されるデータ構成の一例を示す図である。ディレクトリエントリ領域２０４には、図３に示すごとく、記録したデータのファイル名、ファイル属性、予約領域、作成／更新時刻、作成／更新日付、対応するファイルまたはサブディレクトリエントリの物理的位置（ＦＡＴ開始番号）と該ファイルのサイズについての情報がそれぞれ記録されている。前記ファイル名としては、対応するものがファイルデータであるときには、ファイルの属性情報の１つである拡張子を含むファイル名が記録される。
【００２８】
また、画像ファイルデータ格納領域２０５の構成は、図４に示すごとくなっており、各画像ファイルデータ（例えば、ＲＩＭＧ０００１．ＪＰＧ、ＲＩＭＧ０００２．ＪＰＧ、ＲＩＭＧ０００３．ＪＰＧ、ＲＩＭＧ０００４．ＪＰＧ、…）が順次固定長のデータで書き込まれている。この画像ファイルデータは、図４に示すごとく、画像ヘッダー、主画像データ、及び当該画像データに対応するサムネイル画像からなる。画像ヘッダーには、ファイル属性、個別規格名称、規格のバージョン、画像データ本体の関連情報、サムネイル画像の関連情報、及び記録モード等が記録される。
【００２９】
次に、本実施形態の動作について説明する。図５は縮小画像２０コマを一覧表示した例を示す図である。メモリカード１０９に記憶されている複数の画像を表示装置（ＬＣＤ１１０）に一度に表示している。画像数が２０コマなら、１ページの表示で収まり、４０コマなら２ページ、６０コマで３ページの表示となる。
【００３０】
図６は本発明を実施していないときの再生信号シーケンスを示す図である。図６に示すように、画像ファイルを読み込むリード処理と、読み込んだデータを伸張し画像データとして表示する伸張／表示処理が交互に動作している例である。また、図７は本実施形態の再生信号シーケンスの一例を示す図である。いま、Ｎ（２０）コマ再生の要求の指示があると、再生タスクはファイルタスクに２０コマのリード要求をまとめて発行する。ファイルタスクでは、要求に従って、順次リード処理を行い、その結果を再生タスクへリード完了通知として知らせる。再生タスクでは、リード完了通知により伸張処理を行うとともに、伸張完了後には引き続き表示処理を行う。
【００３１】
このときの表示位置としては、例えば図５で示されるように、左上から順番に表示していく。図７の例で示したように、リード処理と伸張／表示処理が切れ目なく連続して動作できるようになっている。図８に示す動作シーケンス図のように、２画像目のファイルをリード処理２ａしている間に、先のリード処理１ａで読み込んだ１画像目のファイルの伸張処理１ｂと、１画像目の表示処理１ｃが動作できている。次に、３画像目のファイルをリード処理３ａしている間に直前の２画像目の伸張処理２ｂと表示処理２ｃが行われる。
【００３２】
このように、再生要求で指示された数分の画像ファイルを図５のＬＣＤ１１０に表示する連続した処理を行うが、例えば指示された数が１００コマで、表示可能な数が２０コマの場合、前述したようにＬＣＤ１１０に複数回（５回）に分けて連続した処理を繰り返し行うことになる。また、表示可能な２０コマの数は任意に変更可能である。
【００３３】
図９は本実施形態の再生タスクにおけるＮ（２０）コマ再生要求処理を示すフローチャートであり、図１０はタスク間で授受される通知メッセージの構造例を示す図である。２０コマ再生要求処理について、図７，１０を参照しながら図９に基づき説明する。
【００３４】
図９に示すように、再生タスクでは、アプリケーションからの「２０コマ再生要求」（図７，図１０（ｃ）参照）を受信すると（Ｓ１）、コマ数の初期化を行い（Ｓ２，Ｓ３）、２０コマ分の「サムネイルリード要求」（図１０（ａ）参照）のメッセージを作成する。例えば、「全画像数：２０コマ」、２０コマ分のサムネイルリード要求として、「画像番号」のＮ＝１〜２０をカウントしてＮ＝２０を確認し、これらの第１〜２０「サムネイルリード要求」をファイルタスクに送信する（Ｓ４，Ｓ５，Ｓ６）。
【００３５】
また、図１１は本実施形態のファイルタスクにおけるサムネイルリード完了通知処理を示すフローチャートである。サムネイルリード完了通知処理について、図７，図１０を参照しながら図１１に基づき説明する。
【００３６】
図１１に示すように、ファイルタスクでは、再生タスクからの「サムネイルリード要求」を受信すると（Ｓ１１）、次に、処理キャンセルの指示が行われたか、常にチェックする（Ｓ１２）。キャンセル有りのとき（Ｓ１２のＹｅｓ）、「サムネイルリード完了通知」（図１０（ｂ）参照）の「リ−ド結果」にキャンセル検出番号（例えば「−１０」など）を設定し、再生タスクに送信する（Ｓ１３）。
【００３７】
キャンセル無しのとき（Ｓ１２のＮｏ）、指定の画像ファイルデータの画像ヘッダー（図４参照）部分をリードし、サムネイル画像を抽出する（Ｓ１４）。ヘッダー部分のリードが完了すると（Ｓ１５）、「サムネイルリード完了通知」の「リード結果」に正常（例えば「０」など）を設定し、再生タスクに送信する（Ｓ１６）。
【００３８】
図１０（ａ）に示す「サムネイルリード要求」の例では、現在処理中の「画像番号」と、「全画像数」の指定があるので、すべての画像ファイルの処理が完了したか否か判定することができる（Ｓ１７）。ここでは、「全画像数」を２０コマとしており、同じ数字になる「画像番号」を持つ「サムネイルリード要求」を受信した場合（Ｓ１７のＹｅｓ）、処理完了として終了する。画像ファイルのリードが残っている場合は、引き続き「サムネイルリード要求」の待ち合わせを行い（Ｓ１８）、「サムネイルリード要求」を受信すると（Ｓ１８のＹｅｓ）、再度処理Ｓ１２へ戻り処理を繰り返していく。
【００３９】
前述の処理Ｓ１２において、処理キャンセル指示の確認を行っているのは、本実施形態の例では２０コマ分まとめてサムネイルリード要求を受けているため、キャンセル指示を確認した場合に、その後はリードを行わずに、「サムネイルリード完了通知」を返す必要がある。
【００４０】
具体的には、キャンセル指示を確認した場合に、キャンセルフラグ等を設定して、その後のリードを中止し、処理Ｓ１３のキャンセル検出番号を設定した「サムネイルリード完了通知」のキャンセル通知を返すことになる。また、前述のキャンセル通知が、処理Ｓ１７におけるすべてのサムネイルリード要求に対して実行されると処理を終了する。同時に、先ほど設定したキャンセルフラグの解除を行う。
【００４１】
さらに、後述する再生タスクにおいても、キャンセル通知からキャンセル指示があったことを判断したときには、伸張と表示の処理をスキップすることになるが、２０コマ分の残りすべての「サムネイルリード完了通知」（キャンセル通知）を受けるまで前述したスキップする処理を続けることになる。
【００４２】
例えば、図１示すメモリカード１０９に１００枚の画像ファイルが保存されているときには、デジタルカメラ装置のＬＣＤ１１０（表示装置）において１ページ（画面）で全画像ファイルを表示することができないため、何ページかに分割して１００枚分の画像ファイルを表示することになる。いま、ユーザが３枚目のページをすぐに見たいときなど、１枚目や２枚目のページにおける画像の表示が始まったときに、操作部１１４からキャンセル指示をすれば、現在処理している該当ページの読み出し、伸張、表示の処理を中止して、次のページの連続した処理後の表示へより早く進むことができる。
【００４３】
また、図１２は本実施形態の再生タスクにおけるサムネイルリード完了通知処理を示すフローチャートである。サムネイルリード完了通知処理について、図７，図１０を参照しながら図１２に基づき説明する。
【００４４】
図１２に示すように、再生タスクでは、ファイルタスクからの「サムネイルリード完了通知」を受信すると（Ｓ２１）、次に、処理キャンセルの指示が行われたかの有無をチェックし（Ｓ２２）、キャンセル有りのとき（Ｓ２２のＹｅｓ）、画像の伸張処理、表示処理をスキップする。また、キャンセル無しのとき（Ｓ２２のＮｏ）、図４に示すリードした画像ファイルデータ内の圧縮されたサムネイル画像を抽出し、伸張処理でＹＵＶデータに変換する（Ｓ２３）。このＹＵＶデータに変換する領域は、図５の再生画面で示したように、１つ目の画像から２０個目の画像まで、左上から順番に指定していく。指定した領域への伸張処理が完了すると表示装置への表示処理を開始する（Ｓ２４）。
【００４５】
図１０（ｂ）に示す「サムネイルリード完了通知」の例では、現在処理中の「画像番号」と、「全画像数」の指定があるので、すべての画像ファイルの処理が完了したかどうか判定することができる（Ｓ２５）。ここでは、「全画像数」を２０コマとしており、同じ数字になる「画像番号」を持つ「サムネイルリード完了通知」を受信した場合（Ｓ２５のＹｅｓ）、処理完了として終了する。画像ファイルのリードが残っている場合は、引き続き「サムネイルリード完了通知」の待ち合わせを行い（Ｓ２６）、「サムネイルリード完了通知」を受信すると（Ｓ２６のＹｅｓ）、再度処理Ｓ２２へ戻り処理を繰り返していく。
【００４６】
また、本実施形態において、複数の画像ファイルの再生処理として、図４に示す画像ファイルデータから画像ヘッダー部分をリードし、該当するサムネイル画像を抽出して行う表示を例として説明したが、画像ファイルデータ全体をリードして、主画像データを抽出する場合にも適用することができる。また、サムネイル画像を持たない画像ファイルデータであっても利用可能である。
【００４７】
主画像データを抽出し表示する場合には、図５に示す複数の画像を並べて、ＬＣＤ１１０に表示するのではなく、一定の時間間隔で表示を変更するようにしてもよく、連続した処理の処理順（ヘッダー番号等）をＯＳＤ１２２により表示し、前述したキャンセル指示に代えてユーザの指定するヘッダー番号等の入力によって、該当ヘッダー番号までの読み込み、伸張、表示の処理をスキップするようにすることも可能である。
【産業上の利用可能性】
【００４８】
本発明に係る画像再生装置は、複数の画像ファイルの再生を高速に読み込み、伸張して表示する並列処理をすることが可能となり、処理する画像ファイルの数が増えても高速に再生処理することができ、画像再生の制御等として有用である。
【図面の簡単な説明】
【００４９】
【図１】本発明の実施形態におけるデジタルカメラ装置を示すブロック図
【図２】メモリカードのフォーマットの一例を示す図
【図３】ディレクトリエントリ領域に格納されるデータ構成の一例を示す図
【図４】画像データファイル格納領域のデータ構成の一例を示す図
【図５】表示装置に縮小画像２０コマを一覧表示した例を示す図
【図６】本発明を実施していないときの再生信号シーケンスを示す図
【図７】本実施形態の再生信号シーケンスの一例を示す図
【図８】本実施形態の各処理の動作シーケンスを示す図
【図９】本実施形態の再生タスクにおけるＮ（２０）コマ再生要求処理を示すフローチャート
【図１０】タスク間で授受される通知メッセージの構造例を示す図
【図１１】本実施形態のファイルタスクにおけるサムネイルリード完了通知処理を示すフローチャート
【図１２】本実施形態の再生タスクにおけるサムネイルリード完了通知処理を示すフローチャート
【符号の説明】
【００５０】
１０１  レンズ
１０２  メカ機構
１０３  ＣＣＤ
１０４  ＣＤＳ回路
１０５，１２０  Ａ／Ｄ変換器
１０６  デジタル信号処理回路
１０７  圧縮／伸張回路
１０８  ＤＲＡＭ
１０９  メモリカード
１１０  ＬＣＤ
１１１  ドライバ
１１２  ＳＧ
１１３  ＣＰＵ
１１４  操作部
１１５  ストロボ
１１６  マイク
１１７，１２１  ＡＭＰ／ＦＩＬＴＥＲ
１１８  Ｄ／Ａ変換器
１１９  音声データ圧縮／伸張回路
１２２  ＯＳＤ
１２３  ＲＡＭ
１２４  ＣＰＵバス
１２５  Ｃ／ＤＣコンバータ
１２６  電池
１２７  ＡＣアダプタ
２０１  アトリビュート領域
２０２  ブートセレクタ領域
２０３  ＦＡＴ領域
２０４  ディレクトリエントリ領域
２０５  画像ファイルデータ格納領域
２０６  音声ファイルデータ格納領域
【図１】
0005000581.tif 000002
【図２】
0005000581.tif 000003
【図３】
0005000581.tif 000004
【図４】
0005000581.tif 000005
【図５】
0005000581.tif 000006
【図６】
0005000581.tif 000007
【図７】
0005000581.tif 000008
【図８】
0005000581.tif 000009
【図９】
0005000581.tif 000010
【図１０】
0005000581.tif 000011
【図１１】
0005000581.tif 000012
【図１２】
0005000581.tif 000013